(57)【要約】      （修正有）【課題】接着剤が想定外の部分にはみ出ることや接着面積が不足することを防止することができる光ヘッド装置を提供する。【解決手段】光ヘッド装置は、対物レンズを保持するレンズホルダと、レンズホルダを変位可能に支持するゲル収納体３０と、ゲル収納体３０が接着剤によって固定されるヨークとを有し、ヨークは、ゲル収納体３０と対向する壁部を有し、ゲル収納体３０は、ヨークの壁部と対向する壁部３２を有し、ヨークの壁部と、ゲル収納体３０の壁部３２とは、内部に満たされた接着剤が硬化させられるための接着隙間１１と、接着隙間１１に流入するための接着剤を溜めるための接着剤溜まり１２とを形成し、接着隙間１１は、接着剤溜まり１２に連通することを特徴とする。【選択図】  図３
2008065911.tif 000002
【特許請求の範囲】
【請求項１】
対物レンズを保持するレンズホルダと、前記レンズホルダを変位可能に支持するホルダ支持部材と、前記ホルダ支持部材が接着剤によって固定される固定部材とを有し、
前記ホルダ支持部材及び前記固定部材は、それぞれ対向する壁部を有し、
前記ホルダ支持部材の前記壁部と、前記固定部材の前記壁部とは、内部に満たされた前記接着剤が硬化させられるための接着隙間と、前記接着隙間に流入するための前記接着剤を溜めるための接着剤溜まりとを形成し、
前記接着隙間は、前記接着剤溜まりに連通することを特徴とする光ヘッド装置。
【請求項２】
前記ホルダ支持部材の前記壁部と、前記固定部材の前記壁部との少なくとも一方は、他方と接触することによって前記接着隙間から前記接着剤が流出することを阻止する阻止部を有し、
前記阻止部は、前記接着隙間に対して前記接着剤溜まりとは反対側に前記接着隙間に接して設けられていることを特徴とする請求項１に記載の光ヘッド装置。
【請求項３】
前記阻止部は、前記接着剤溜まりに前記接着剤が溜められる前に前記他方に接着されることによって仮固定される仮固定部を有することを特徴とする請求項２に記載の光ヘッド装置。
【請求項４】
前記接着隙間及び前記接着剤溜まりは、容積が互いに略等しいことを特徴とする請求項１から請求項３までの何れかに記載の光ヘッド装置。
【請求項５】
前記ホルダ支持部材による前記レンズホルダの支持機構の少なくとも一部であるワイヤを有し、
前記ホルダ支持部材は、前記ワイヤが通されるゲルを収納するゲル収納部を有し、
前記ゲル収納部は、前記ゲルが露出する開口が前記対物レンズの光軸方向の端に形成され、
前記接着隙間は、前記光軸方向と、前記ワイヤの延在方向とに直交する方向に離隔した２つの前記ゲル収納部の間に前記光軸方向に延在して形成されることを特徴とする請求項１から請求項４までの何れかに記載の光ヘッド装置。
【発明の詳細な説明】
【技術分野】
【０００１】
本発明は、対物レンズを保持したレンズホルダを磁気駆動機構によって駆動する光ヘッド装置に関する。
【背景技術】
【０００２】
従来の光ヘッド装置として、対物レンズを保持するレンズホルダと、レンズホルダを変位可能に支持する固定側部材と、固定側部材が固定されるヨークとを有する光ヘッド装置が知られている（例えば、特許文献１参照。）。
【０００３】
このような光ヘッド装置においては、ヨークに接着剤を塗布してから固定側部材を押し付けた後、接着剤の熱硬化によってヨークと固定側部材とが固定されている。
【特許文献１】特開２００６−１８５５３６号公報
【発明の開示】
【発明が解決しようとする課題】
【０００４】
しかしながら、従来の光ヘッド装置においては、ヨークに接着剤を塗布してから固定側部材を押し付けるので、ヨークと固定側部材との接着に必要な量を超える量の接着剤がヨークに塗布されると、ヨークに固定側部材が押し付けられるときに余分な接着剤が押し出されて想定外の部分にはみ出てしまうという問題がある。
【０００５】
また、ヨークと固定側部材との接着に必要な量に満たない量の接着剤がヨークに塗布されると、ヨークと固定側部材との接着面積が足りず、接着強度が製品毎に不均一になるという問題がある。
【０００６】
本発明は、従来の問題を解決するためになされたもので、接着剤が想定外の部分にはみ出ることや接着面積が不足することを防止することができる光ヘッド装置を提供することを目的とする。
【課題を解決するための手段】
【０００７】
本発明の光ヘッド装置は、対物レンズを保持するレンズホルダと、前記レンズホルダを変位可能に支持するホルダ支持部材と、前記ホルダ支持部材が接着剤によって固定される固定部材とを有し、前記ホルダ支持部材及び前記固定部材は、それぞれ対向する壁部を有し、前記ホルダ支持部材の前記壁部と、前記固定部材の前記壁部とは、内部に満たされた前記接着剤が硬化させられるための接着隙間と、前記接着隙間に流入するための前記接着剤を溜めるための接着剤溜まりとを形成し、前記接着隙間は、前記接着剤溜まりに連通することを特徴とする。
【０００８】
この構成により、本発明の光ヘッド装置は、ホルダ支持部材及び固定部材の一方に接着剤を塗布してから他方を押し付けるのではなく、予め形成された接着隙間に接着剤を流入させるので、接着剤が想定外の部分にはみ出ることや接着面積が不足することを防止することができる。
【０００９】
また、本発明の光ヘッド装置の前記ホルダ支持部材の前記壁部と、前記固定部材の前記壁部との少なくとも一方は、他方と接触することによって前記接着隙間から前記接着剤が流出することを阻止する阻止部を有し、前記阻止部は、前記接着隙間に対して前記接着剤溜まりとは反対側に前記接着隙間に接して設けられていることが好ましい。
【００１０】
また、本発明の光ヘッド装置の前記阻止部は、前記接着剤溜まりに前記接着剤が溜められる前に前記他方に接着されることによって仮固定される仮固定部を有することが好ましい。
【００１１】
また、本発明の光ヘッド装置の前記接着隙間及び前記接着剤溜まりは、容積が互いに略等しいことが好ましい。
【００１２】
また、本発明の光ヘッド装置は、前記ホルダ支持部材による前記レンズホルダの支持機構の少なくとも一部であるワイヤを有し、前記ホルダ支持部材は、前記ワイヤが通されるゲルを収納するゲル収納部を有し、前記ゲル収納部は、前記ゲルが露出する開口が前記対物レンズの光軸方向の端に形成され、前記接着隙間は、前記光軸方向と、前記ワイヤの延在方向とに直交する方向に離隔した２つの前記ゲル収納部の間に前記光軸方向に延在して形成されることが好ましい。
【００１３】
ゲルが露出する開口がゲル収納部の光軸方向の端に形成されるときには、対物レンズの光軸方向と、ワイヤの延在方向とに直交する方向に離隔した２つのゲル収納部の間に接着隙間が形成される必要がある。本発明の光ヘッド装置は、接着隙間が光軸方向に延在して形成されるので、接着隙間がワイヤと同じ方向に延在して形成される構成と比較して、接着隙間を長く確保することができ、接着強度を上げることができる。
【発明の効果】
【００１４】
本発明によれば、接着剤が想定外の部分にはみ出ることや接着面積が不足することを防止することができる光ヘッド装置を提供することができる。
【発明を実施するための最良の形態】
【００１５】
以下、本発明の一実施の形態について、図面を用いて説明する。
【００１６】
まず、本実施の形態に係る光ヘッド装置の構成について説明する。
【００１７】
図１に示すように、本実施の形態に係る光ヘッド装置１０は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの図示していない光記録ディスクに対する情報記録、情報再生を行うものである。
【００１８】
光ヘッド装置１０は、対向する２つの壁部２１、２２と、壁部２１、２２が立ち上げられた壁部２３とを有するヨーク２０と、ゲルを収納するゲル収納部３１を有し壁部２１に壁部２２側とは反対側で固定されたゲル収納体３０と、壁部２１の壁部２２側と壁部２２の壁部２１側とで壁部２３にそれぞれ固定された２つのマグネット４１と、ゲル収納体３０に壁部２１側とは反対側で固定されたプリント基板４２と、図示していないレーザ光源から出射されたレーザ光を集光して光記録ディスクの情報記録面に焦点を結ぶ対物レンズ５１と、壁部２１、２２間に配置されて対物レンズ５１を保持するレンズホルダ５２と、マグネット４１に対向してレンズホルダ５２に固定されてレンズホルダ５２をトラッキング方向に駆動するためのトラッキング駆動コイル５３と、マグネット４１に対向してレンズホルダ５２に固定されてレンズホルダ５２をフォーカシング方向に駆動するための図示していないフォーカシング駆動コイルと、マグネット４１に対向してレンズホルダ５２に固定されてレンズホルダ５２をチルト方向に駆動するための図示していないチルト駆動コイルと、トラッキング駆動コイル５３、フォーカシング駆動コイル、チルト駆動コイルにそれぞれ電気的に接続された図示していない配線が電気的に接続されてレンズホルダ５２に固定された中継基板５４と、プリント基板４２にハンダ等によって固定されゲル収納部３１に収納されたゲルを通って中継基板５４にハンダ等によって固定されたワイヤ６１とを有している。
【００１９】
ここで、ヨーク２０は、ゲル収納体３０が熱硬化性接着剤によって固定されており、固定部材を構成している。
【００２０】
ゲル収納体３０は、プリント基板４２及びワイヤ６１を介してレンズホルダ５２を変位可能に支持しており、ホルダ支持部材を構成している。また、ゲル収納体３０は、ヨーク２０の壁部２１と対向する壁部３２を有している。
【００２１】
図２に示すように、ヨーク２０は、壁部２１に２つの貫通孔２１ａが形成されている。
【００２２】
図３及び図４に示すように、ゲル収納体３０は、壁部３２に形成されてヨーク２０（図２参照。）の壁部２１（図２参照。）の２つの貫通孔２１ａ（図２参照。）に挿入される２つの突起３３と、壁部３２のうちヨーク２０の壁部２３（図２参照。）側とは反対側の端に形成された端溝部３４と、壁部３２のうちヨーク２０の壁部２３側の端の中央に形成されてワイヤ６１（図１参照。）の延在方向に壁部２１と接触する接触部３５ａと、壁部３２のうちヨーク２０の壁部２３側の端であって接触部３５ａの両脇に形成されてワイヤ６１の延在方向に壁部２１と接触する２つの接触部３５ｂと、壁部３２のうち端溝部３４と接触部３５ｂとの間に形成されてワイヤ６１の延在方向に壁部２１と接触する２つの接触部３５ｃと、壁部３２のうち接触部３５ａ、３５ｂ、３５ｃの周りに形成された溝部３６と、壁部３２のうち２つの接触部３５ｃの中間位置に形成されて端溝部３４に連通した深溝部３７とを有している。
【００２３】
ゲル収納部３１は、ゲルが露出する開口３１ａが対物レンズ５１（図１参照。）の光軸方向の端に形成されている。ゲル収納部３１に収納されるゲルは、紫外線が照射されることによってゲル化するものであるが、開口３１ａを介して外部から紫外線が照射され易くなっている。
【００２４】
溝部３６及び深溝部３７は、接触部３５ａ、３５ｂ、３５ｃがヨーク２０の壁部２１と接触しているとき、内部に満たされた熱硬化性接着剤が硬化させられるための接着隙間１１を壁部２１とともに形成している。
【００２５】
接着隙間１１は、対物レンズ５１の光軸方向と、ワイヤ６１の延在方向とに直交する方向に離隔した２つのゲル収納部３１の間に、対物レンズ５１の光軸方向に延在して形成されている。
【００２６】
なお、溝部３６は、接触部３５ａ、３５ｂ、３５ｃを基準とすると、深さ０．２ｍｍの溝である。また、深溝部３７は、接触部３５ａ、３５ｂ、３５ｃを基準とすると、深さ０．５ｍｍの溝である。接着隙間１１は、ヨーク２０の壁部２３に近いほど容積が減少している。
【００２７】
端溝部３４は、接触部３５ａ、３５ｂ、３５ｃがヨーク２０の壁部２１と接触しているとき、接着隙間１１に流入するための熱硬化性接着剤を溜めるための接着剤溜まり１２を壁部２１とともに形成している。
【００２８】
接着剤溜まり１２は、接着隙間１１に連通しており、接着隙間１１と容積が略等しくなっている。
【００２９】
接触部３５ａ、３５ｂは、接着隙間１１に対して接着剤溜まり１２とは反対側に接着隙間１１に接して設けられていて、壁部２１と接触することによって接着隙間１１から熱硬化性接着剤が流出することを阻止するようになっており、阻止部を構成している。
【００３０】
特に、接触部３５ａは、接着剤溜まり１２に熱硬化性接着剤が溜められる前に壁部２１に接着されることによって仮固定されるようになっており、仮固定部をも構成している。
【００３１】
次に、ヨーク２０へのゲル収納体３０の固定について説明する。
【００３２】
まず、ゲル収納体３０の接触部３５ａに瞬間接着剤が塗布されてから、ヨーク２０の壁部２１に壁部３２が押し付けられることによって、ヨーク２０にゲル収納体３０が仮固定される。
【００３３】
次いで、熱硬化性接着剤が接着剤溜まり１２に注入され、接着剤溜まり１２から接着隙間１１に流入し始める。
【００３４】
ここで、接触部３５ａ、３５ｂ、３５ｃによってヨーク２０の壁部２３に近いほど接着隙間１１の容積が減少しているので、熱硬化性接着剤は、接触部３５ａ、３５ｂ、３５ｃによって壁部２３側の端から流出することが阻止される。また、接触部３５ａ、３５ｂ、３５ｃを基準とした溝部３６、深溝部３７の深さが上述したようにそれぞれ０．２ｍｍ、０．５ｍｍであり、ヨーク２０の壁部２３に近いほど接着隙間１１が小さくなっている部分が多いので、熱硬化性接着剤は、壁部２３側の端から流出することが阻止される。このようにして、接着隙間１１は、熱硬化性接着剤によって満たされる。
【００３５】
そして、ヨーク２０及びゲル収納体３０は、熱硬化性接着剤の硬化のために加熱される。この結果、接着隙間１１に満たされた熱硬化性接着剤が硬化し、ヨーク２０へのゲル収納体３０の固定が完了する。
【００３６】
以上に説明したように、光ヘッド装置１０は、ヨーク２０及びゲル収納体３０の一方に熱硬化性接着剤を塗布してから他方を押し付けるのではなく、予め形成された接着隙間１１に熱硬化性接着剤を流入させるので、熱硬化性接着剤が想定外の部分にはみ出ることや接着面積が不足することを防止することができる。
【００３７】
なお、ゲルが露出する開口３１ａが対物レンズ５１の光軸方向におけるゲル収納部３１の端に形成されるときには、対物レンズ５１の光軸方向と、ワイヤ６１の延在方向とに直交する方向に離隔した２つのゲル収納部３１の間に接着隙間１１が形成される必要がある。光ヘッド装置１０は、接着隙間１１が対物レンズ５１の光軸方向に延在して形成されるので、接着隙間１１がワイヤ６１と同じ方向に延在して形成される構成と比較して、接着隙間１１を長く確保することができ、接着強度を上げることができる。
【００３８】
また、ヨーク２０へのゲル収納体３０の仮固定は、瞬間接着剤以外の方法によっても行うことが可能である。例えば、ヨーク２０へのゲル収納体３０の仮固定は、治具によるクランプであっても良い。
【００３９】
また、接着隙間１１及び接着剤溜まり１２の形状は、直方体でなくても良い。
【図面の簡単な説明】
【００４０】
【図１】本発明の一実施の形態に係る光ヘッド装置の要部の斜視図
【図２】図１に示す光ヘッド装置のヨーク、ゲル収納体及びプリント基板の斜視図
【図３】（ａ）図２に示すゲル収納体の上面図  （ｂ）図２に示すゲル収納体の正面図  （ｃ）図２に示すゲル収納体の底面図
【図４】（ａ）図２に示すゲル収納体の斜視図であって、上面側に視点があるときの図  （ｂ）図２に示すゲル収納体の斜視図であって、底面側に視点があるときの図
【符号の説明】
【００４１】
１０  光ヘッド装置
１１  接着隙間
１２  接着剤溜まり
２０  ヨーク（固定部材）
２１  壁部
３０  ゲル収納体（ホルダ支持部材）
３１  ゲル収納部
３１ａ  開口
３２  壁部
３５ａ  接触部（阻止部、仮固定部）
３５ｂ  接触部（阻止部）
５１  対物レンズ
５２  レンズホルダ
６１  ワイヤ
【図１】
2008065911.tif 000003
【図２】
2008065911.tif 000004
【図３】
2008065911.tif 000005
【図４】
2008065911.tif 000006